(57)【要約】【課題】検査結果を表示する判定項目名等の識別情報の表示形態をユーザの要求に応じて変更することができる物品検査装置を提供する。【解決手段】物品Ｗを搬送中に検査する検査制御部３１および計量コンベア本体部３２と、検査結果に応じて、複数の判定項目についての判定結果表示用の画像を同一画面中の画像として出力する表示部５０および表示制御部３３とを備えた物品検査装置において、表示制御部３３は、複数の判定項目のうち特定の判定項目についての判定結果表示用の画像を、その特定の判定項目についての表示変更要求入力に応じて、予め記憶保持された判定結果表示用の他の画像に切り替える選択部３７および編集部３８を有している。【選択図】図１
2019111473.tif 000002
【特許請求の範囲】
【請求項１】
物品（Ｗ）を搬送中に検査する検査手段（３１、３２）と、前記検査手段による検査結果に応じて、複数の判定項目についての識別情報を出力する識別情報出力手段（３３、５０）と、を備えた物品検査装置において、
前記識別情報出力手段は、前記複数の判定項目のうち特定の判定項目についての前記識別情報を、該特定の判定項目についての表示変更要求入力に応じて、予め記憶保持された他の識別情報に切り替える識別情報変更部（３７、３８）を有していることを特徴とする物品検査装置。
【請求項２】
前記識別情報出力手段の前記識別情報変更部は、前記表示変更要求入力に応じて作動し、前記特定の判定項目についての前記識別情報を、予め記憶保持された複数種の識別情報表示候補のうち前記表示変更要求入力に対応する別の識別情報に切替え可能な選択処理を実行することを特徴とする請求項１に記載の物品検査装置。
【請求項３】
前記識別情報出力手段の前記識別情報変更部は、前記特定の判定項目についての表示変更要求入力に応じて、該表示変更要求入力に対応する新規な識別情報表示候補を作成可能な識別情報作成支援処理を実行することを特徴とする請求項１または２に記載の物品検査装置。
【請求項４】
前記複数の判定項目のうち前記特定の判定項目が、他の装置（１０）からの判定結果入力に対応する表示項目であることを特徴とする請求項１ないし３のいずれか一項に記載の物品検査装置。
【発明の詳細な説明】
【技術分野】
【０００１】
本発明は、搬送される物品を検査する物品検査装置、特に計量や異物検出等の検査を行う場合に好適な物品検査装置に関する。
【背景技術】
【０００２】
物品の搬送状態でその物品を計量したりその物品中に混入した異物を検出したりする物品検査装置は、食品その他の各種製造ラインで多用されており、一般に、その検査結果が文字やアイコン等の図形を用いて画像出力されるとともに、判定結果が不良となった物品を下流側の選別装置により選別排出する等の処理がなされるようになっている。
【０００３】
このような物品検査装置として、例えば検査対象物品を質量検査により計量して内容量が所定の質量範囲内となる良品であるか否かの判定結果を逐次画面表示したり、その質量値のばらつき幅等の生産管理情報を画面表示したりするのに加えて、上流側で行われた異物検出等の判定結果をそのような表示画面中に併せて表示するようにしたものが知られている（例えば、特許文献１参照）。
【先行技術文献】
【特許文献】
【０００４】
【特許文献１】特開２００９−１８３８１８号公報
【発明の概要】
【発明が解決しようとする課題】
【０００５】
しかしながら、上述のような従来の物品検査装置にあっては、検査結果の表示画面に含まれる複数の判定項目の表示形態がその出力画面ごとに固定されていた。そのため、各判定項目の表示が多くのユーザ（装置の使用者）にとって視認および把握し易いものに設定されているものの、一部の使用者にとっては判定項目の呼び方、言語、表示サイズ等が十分適切でない場合があった。また、そのような場合に、ユーザは検査結果の表示画面を好適な表示形態に変更することができないという未解決の課題があった。
【０００６】
例えば、前段（上流側）の機器で行われた物品検査の結果を後段（下流側）の物品検査装置での検査結果と共に表示する場合、上流側の外部検査装置による判定結果は"ＥＸＮＧ"等の汎用的な表示項目名を用いて表示されていた。しかし、その場合、物品検査装置の検査結果表示画面中の判定項目名を、その装置の設置環境に応じてより具体的な検査項目名等に変更することができず、製造ライン編成の変更等に対応して判定項目名を変更することもできなかった。
【０００７】
本発明は、上述のような従来の課題を解決すべくなされたものであり、検査中に表示する判定項目名等の識別情報の表示形態をユーザの要求に応じて変更することができる物品検査装置を提供することを目的とする。
【課題を解決するための手段】
【０００８】
本発明に係る物品検査装置は、上記目的達成のため、物品を搬送中に検査する検査手段と、前記検査手段による検査結果に応じて、複数の判定項目についての識別情報を出力する識別情報出力手段と、を備えた物品検査装置において、前記識別情報出力手段は、前記複数の判定項目のうち特定の判定項目についての前記識別情報を、該特定の判定項目についての表示変更要求入力に応じて、予め記憶保持された他の識別情報に切り替える識別情報変更部を有している。
【０００９】
この構成により、複数の判定項目のうち特定の判定項目について表示変更要求入力があると、特定の判定項目についての識別情報が、識別情報出力手段の識別情報変更部によりその表示変更要求入力に応じて、予め記憶保持された他の識別情報に切り替えられる。したがって、検査中に表示する判定項目名等の識別情報の表示形態を、ユーザの要求に応じて変更できることになる。
【００１０】
本発明の物品検査装置において、前記識別情報出力手段の前記識別情報変更部は、前記表示変更要求入力に応じて作動し、前記特定の判定項目についての前記識別情報を、予め記憶保持された複数種の識別情報表示候補のうち前記表示変更要求入力に対応する別の識別情報に切替え可能な選択処理を実行する構成とすることができる。この場合、表示変更要求入力に対応して、複数種の識別情報表示候補のうち任意のいずれかが別の識別情報として選択されることで、特定の判定項目についての識別情報が表示変更要求入力に対応する別の識別情報に的確にかつ迅速容易に切替え可能となる。
【００１１】
また、本発明の物品検査装置において、前記識別情報出力手段の前記識別情報変更部は、前記特定の判定項目についての表示変更要求入力に応じて、該表示変更要求入力に対応する新規な識別情報表示候補を作成可能な識別情報作成支援処理を実行する構成としてもよい。このようにすると、表示変更要求入力に応じた新規な識別情報表示候補が作成可能となり、特定の判定項目についてユーザに好適な識別情報表示候補を追加したり、複数の識別情報表示候補に加えたりすることができることになる。
【００１２】
さらに、本発明の物品検査装置においては、前記複数の判定項目のうち前記特定の判定項目が、他の装置からの判定結果入力に対応する表示項目である構成となっていてもよい。この場合、他の装置からの判定結果を考慮した総合判定等を行う場合に、他の物品検査を行う装置が新規な場合でも変更される場合でも、容易に他の装置からの判定結果に対応する特定の判定項目の表示を表示変更要求入力に応じてカスタマイズできることとなる。
【発明の効果】
【００１３】
本発明によれば、検査中に表示する判定項目名等の識別情報表示形態をユーザの要求に応じて変更することができる物品検査装置を提供することができる。
【図面の簡単な説明】
【００１４】
【図１】本発明の一実施形態に係る物品検査装置を含む質量検査システムの概略構成図である。
【図２】本発明の一実施形態に係る物品検査装置を含む質量検査システムにおける制御系の概略ブロック構成図である。
【図３】本発明の一実施形態に係る物品検査装置における生産中の各物品の検査結果の表示で判定項目の表示を変更する処理の説明図である。
【図４】本発明の一実施形態に係る物品検査装置における生産中の複数の物品の検査結果の表示で判定項目の表示を変更する処理の説明図である。
【図５】本発明の一実施形態に係る物品検査装置における検査結果表示画面中に表示される複数の判定項目表示の画像を選択切替え可能な選択部の説明図である。
【図６】本発明の一実施形態に係る物品検査装置における各物品の検査結果および複数の判定項目表示を含むより具体的な検査結果表示画面の一例の説明図である。
【図７】本発明の一実施形態に係る物品検査装置における複数の物品の検査結果および複数の判定項目表示を含むより具体的な検査結果表示画面の他の例の説明図である。
【発明を実施するための形態】
【００１５】
以下、本発明を実施するための形態について、図面を参照しつつ説明する。
【００１６】
図１ないし図７は、本発明の一実施形態に係る物品検査装置を質量検査に用いる質量検査システムの一例を示している。
【００１７】
まず、構成について説明する。
【００１８】
図１および図２に示すように、本実施形態の質量検査システム１は、前段（上流側）の機器１０と、前段の機器１０からの助走コンベア２０を介して検査済みの物品が投入されるときその物品Ｗを所定方向に搬送しつつ所定の物品検査を実行する検査機３０と、検査済みの物品Ｗを下流側に搬送する選別搬送コンベア４０と、ユーザによる入力およびユーザに対する画面出力が可能なタッチパネル式の表示部５０とを備えている。
【００１９】
前段の機器１０は、例えば公知の充填包装機であり、その充填包装作業後の被検査物である物品Ｗを、助走コンベア２０を介して検査機３０に順次投入するようになっている。また、前段（上流側）の機器１０は、各物品Ｗの充填包装作業が完了する度に、その充填包装作業が正常に完了したか否かを判定し、充填包装作業に異常が発生したと判定したときにはその作業不良の物品ＷについてのＮＧ信号Ｄ１（外部ＮＧ信号）を外部に、例えば検査機３０に出力するようになっている。
【００２０】
検査機３０は、搬送される物品Ｗについて要求される品質や内容量等について検査を行うもので、例えば計量コンベアで構成されている。この検査機３０は、物品Ｗを図１中の右方向に搬送する所定の搬送区間Ｚ内で、その物品Ｗの質量を計測することができる。
【００２１】
具体的には、検査機３０は、例えば公知のロードセルや電磁平衡はかりのような荷重センサを含んで構成された検査制御部３１と、物品Ｗを搬送しつつ検査制御部３１内の前述の荷重センサに対し物品Ｗの重量を荷重として加えることができる計量コンベア本体部３２とを有しており、検査制御部３１からの荷重信号を基に選別搬送コンベア４０を制御するための選別信号Ｒｊおよび表示部５０に表示出力するための判定結果信号Ｊｎを生成するようになっている。また、検査機３０には、検査制御部３１と協働して表示部５０における表示内容の一部を切替え制御することができる表示制御部３３が併設されている。
【００２２】
表示制御部３３は、検査制御部３１および表示部５０と共に識別情報出力手段を構成し、表示部５０での複数の判定項目についての判定結果表示用の画像を検査結果表示画面の種別ごとに記憶保持するとともに、表示部５０でのタッチパネル操作入力により或る検査結果表示画面の表示要求操作がなされたとき、検査機３０による検査結果に応じて、その検査結果画面に関連付けられた所定の表示項目の画像を表示部５０の同一の検査結果表示画面中に出力させるようになっている。
【００２３】
具体的には、検査機３０の検査制御部３１および表示制御部３３は、それぞれの具体的なハードウェア構成を図示しないが、例えばＣＰＵ、ＲＯＭ、ＲＡＭ、及び入出力インターフェース回路等を含んで構成されており、ＲＯＭや他のメモリデバイスに格納された複数の制御プログラム、例えば質量計測プログラムやその計測結果に応じた画面表示のための表示制御プログラム等に従って、検査機３０の作動を制御するとともに、選別搬送コンベア４０の作動を制御し、さらに、表示部５０による表示内容を制御することができるようになっている。すなわち、検査機３０は、ＲＯＭ等に内蔵する複数の制御プログラムによって図２に示すような複数の機能部を構成している。
【００２４】
また、検査機３０には、検査制御部３１および表示制御部３３に加えて、表示部５０で画面表示され得る複数の表示画面と各表示画面中の複数の表示要素の画像を予め記憶保持する表示記憶部３４と、外部インターフェース３５を介して特定の表示画面に対応する表示画像、例えば検査結果表示画面中の複数の判定項目表示用の画像（識別情報）を入力または出力することができる外部入力表示内容記憶部３６とが設けられている。外部入力表示内容記憶部３６に入力される判定項目表示用の画像とは、例えば前段の機器１０における充填包装動作の異常や搬送状態の異常を示すものである。
【００２５】
なお、ここにいう判定項目は、前段の機器１０や検査機３０による物品検査の合否判定等の判定結果を予め選定された判定内容ごとに計数等の必要な処理を行って画面表示や印字といった情報の出力を行う項目を指しており、その判定項目を識別表示する識別情報は、判定項目をユーザにとって識別可能な形態で表示する項目ごとの名称や図形である。したがって、ここにいう識別情報は、検査機３０等の装置自身の検査結果を含む判定内容（ＯＫ、ＮＧ等）を判定項目ごとに計数する場合にその項目を識別表示する情報とすることができる。あるいは、この識別情報は、検査機３０等の検査結果以外の製造ライン固有の不良判定に関する項目を識別表示するものとすることもできる。また、識別情報の表示形態は、判定結果の表示出力やプリント出力を含み得るものであり、判定結果をユーザに報知するための任意の画像（文字の画像および他の任意の画像）の出力形態とすることができる。
【００２６】
表示制御部３３は、表示部５０で画面表示される特定の表示画面中における複数の判定項目のうち、表示記憶部３４および外部入力表示内容記憶部３６に格納されている特定の判定項目についての判定結果表示用の画像を、表示部５０上でのタッチパネル操作入力によりなされる表示変更要求入力に応じて、判定結果表示用の他の画像に切り替える機能を併有している。
【００２７】
前段の機器１０からの入力は検査機３０に入り、外部インターフェース３５は、前述の通り画像や文字列の入力に使用される。この外部インターフェース３５は、例えばＵＳＢ、Ｂｌｕｅｔｏｏｔｈ（登録商標）、ＦＴＰ（ファイル転送プロトコル）、赤外線通信等といった複数のデータ通信規格に準拠したものである。
【００２８】
より具体的には、図３ないし図７に示すように、表示制御部３３には、表示部５０からの表示変更要求入力に応じて作動し、前述の特定の判定項目についての判定結果表示用の画像を選択切替えする選択部３７（画像変更部）が併設されている。なお、図３に示す表示例６１は、生産中の各物品の検査結果（同図中の質量（ｇ））をそれとは異なる判定項目の判定結果（同図中の「ＥＸＮＧ」、「前段ＮＧ充填機」）と共に表示するものであり、図４に示す表示例６２は、生産中の複数の物品の検査結果（ＯＫ、ＮＧ等）を検査項目ごとに計数し、それら複数の判定項目と対応する計数値を一覧表示しているものである。
【００２９】
選択部３７は、例えば図３に示す表示例６１における生産中の各物品の主な検査項目、例えば質量検査の結果表示Ｇ１１と他の特定の判定項目についての判定結果表示用の画像Ｐ１１である表示要素「ＥＸＮＧ」（一の判定項目の表示）を、表示記憶部３４および外部入力表示内容記憶部３６に予め記憶保持された複数種の表示候補画像のうち表示変更要求入力に対応する別の画像、例えば図３中に示す表示要素「前段ＮＧ充填機」に切り替えることができるようになっている。
【００３０】
あるいは、選択部３７は、例えば図４に示す表示例６２における複数の判定項目Ｐ２１、Ｐ２２、Ｐ２３、Ｐ２４、Ｐ２５のうち特定の判定項目の判定結果表示用の画像である同図中の表示要素「ＯＫ」、「ＥＸＮＧ」および「ＥＸＮＧ２」（複数の判定項目の表示）を、それぞれ表示記憶部３４および外部入力表示内容記憶部３６に予め記憶保持された複数種の表示候補画像のうち表示変更要求入力に対応する別の画像、例えば図４中に示す表示要素「良品数」、「充填機ＮＧ」および「形状ＮＧ」に切り替えることができる。
【００３１】
すなわち、選択部３７は、表示記憶部３４および外部入力表示内容記憶部３６に記憶された表示内容のうち表示例６１、６２等の表示画面（出力される判定項目識別情報）中における主要な判定項目についての表示要素（アイコンや文字列等）を切り替え可能に選択することができるようになっている。
【００３２】
選択部３７は、例えば図５に判定項目ごとの番号（同図中の「１１」〜「１５」）と共に示すように、複数種の表示候補画像を表示例６１、６２や後述する検査結果表示画面６３、６４等に表示される判定項目と関連付けて表示記憶部３４および外部入力表示内容記憶部３６に記憶保持させている。この選択部３７は、表示部５０上のタッチパネル操作により特定の判定項目（例えば図５中の番号「１１」ないし「１５」のいずれか一項目）に対する表示変更要求入力がなされたとき、その判定項目に対応する複数種の表示候補画像（例えば図５中の番号「１４」に対応する文字列の画像「ＥＸＮＧ」、「外部ＮＧ」および「異物」ならびにアイコンの画像「外部ＮＧ」（機器画像付））を所定の順序で、あるいは、一覧形式で候補画像として表示し、表示部５０上でのタッチパネル操作によりいずれかの表示候補画像が指定されたとき、現在までの表示候補画像を指定された次の表示候補画像に切り替える画像変更処理を実行することができる。
【００３３】
なお、検査機３０の検査結果表示画面中の判定項目に表示されるアイコンや文字列は汎用的な表現を用いている。また、ここにいう表示例や検査結果表示画面とは、各物品Ｗの検査結果表示画面のみならず、同一種別（品種）の複数の物品Ｗの所定数量ごと、ロットごと、生産期間ごと等といった単位で生成される表示画面であってもよいし、検査結果を複数の判定項目表示を含んで表示する他の任意の表示画面が含まれ得る。
【００３４】
図２に示すように、表示制御部３３には、さらに、表示部５０からの表示変更要求入力に応じて作動し、前述の複数の判定項目Ｐ２１ないしＰ２５のそれぞれについて、その表示変更要求入力に対応する新規な表示候補画像を作成可能な画像作成支援処理を実行する編集部３８（画像変更部）が併設されている。
【００３５】
この編集部３８は、選択部３７において特定の判定項目に対応する複数種の表示候補画像が表示された状態で、表示部５０上のタッチパネル操作に応じて特定の判定項目のいずれかの画像、例えば図５中の番号「１４」、「１５」に対応する文字列側の新規作成画像欄「１４ｎ」、「１５ｎ」またはアイコン側の新規作成画像欄「１４ｍ」、「１５ｍ」のいずれかが選択されるか、文字列画像のいずれかが変更のために再度選択されたとき、そのアイコンに対する表示変更要求入力がなされたものとして、描画機能およびエディタ機能を有する新規画像作成ウィンドウ５２を起動させるとともに、変更対象画像がある場合にはその画像５２ｉを表示させ、複数の描画ツール５２ａ、５２ｂ等あるいはテキスト入力ツール５２ｃ等を用いて、表示変更要求入力に対応する新規な表示候補画像（例えば図５中の「金属異物」の文字列）を作成可能な画像作成支援処理を実行するようになっている。なお、ここにいう特定の判定項目のいずれかは、内部判定結果に対応するもの、例えば図５中の番号「１１」に対応する文字列「１１ｔ」〜「１１ｖ」や新規作成画像欄「１１ｎ」、「１１ｍ」ならびにアイコン画像「１１ｓ」等を含む複数の画像でもよい。
【００３６】
すなわち、編集部３８は、表示記憶部３４および外部入力表示内容記憶部３６に記憶された表示項目のうち特定の表示項目について、新規な表示候補画像を追加したり作成済みの表示候補画像の内容を修正・変更したりする機能を有している。
【００３７】
なお、編集部３８においてこのような描画機能を発揮するプログラム自体は、例えば制御用のＯＳ（オペレーティングシステム）にペイント機能として搭載されている程度のものでもよいし、文字列やアイコンの表示サイズや書体、言語等の変更を指示するエディタ程度のものでもよい。
【００３８】
また、ここでは、複数の判定項目のうち特定の判定項目を、前段の機器１０からの判定結果入力に対応する表示項目である「ＥＸＮＧ」（外部機器からの異常判定入力）として説明したが、複数の判定項目のうち特定の判定項目は、複数の判定項目うち一項目でもよいし、複数項目でもよい。また、外部機器からの判定結果入力は、異常判定入力でなく、正常判定入力でもよい。勿論、特定の判定項目の画像は、外部機器からの判定結果入力でなく、自機内の内部判定結果信号Ｄ２に対応するもの（例えば図５中の番号「１１」に対応する文字列の画像１１ｔ、１１ｕ、１１ｖ（文字列「ＯＫ」、「良品」、「ＰＡＳＳ」）や、アイコンの画像１１ｓ（「ＯＫ」（丸ボタン画像付））等であってもよい。
【００３９】
このように、本実施形態においては、検査結果表示画面中に含まれる複数の判定項目の表示画像を、その判定表示項目ごとに、ユーザに適した表示画像（文字、アイコン等）に変更することができるようになっている。
【００４０】
次に、作用について説明する。
【００４１】
上述のように構成された本実施形態の物品検査装置においては、検査機３０の判定に表示される文字列やアイコン等に汎用的な表現を用いているので、ユーザに理解しづらい表現が存在し得るものであり、それはユーザや使用環境により異なる。
【００４２】
本実施形態の検査機３０における判定項目には、汎用的に使用できる表現と、検査機３０の内部で判定する「ＯＫ」、「＋ＮＧ」、「−ＮＧ」と、検査機３０の外部からの入力を表示する「外部ＮＧ」、「外部ＮＧ２」等を使用している。そこで、これらアイコンや文字列を上述のように変更可能とし、検査機３０のユーザが理解し易いものにしている。また、文字列は、複数種の言語の設定を可能とすることができる。
【００４３】
具体的には、いま、前段の機器１０で例えば充填不良や搬送異常が発生したとする。この場合、前段の機器１０から検査機３０の表示制御部３３に充填異常検出信号であるＮＧ信号Ｄ１（図１参照）が送信される。
【００４４】
このとき、表示制御部３３は、このＮＧ信号Ｄ１を受けて、前段の機器１０の動作異常の判定状態を示す判定項目の表示画像として、前述の判定項目「１４」に対応する文字列またはアイコンのいずれかを生成し、表示部５０に表示例６１、６２として表示する表示制御を実行する。
【００４５】
また、検査機３０の検査制御部３１の内部で物品Ｗの検査結果を表す複数の判定がなされたとき、検査制御部３１から表示制御部３３に内部判定結果信号Ｄ２が送信され、表示制御部３３は、この内部判定結果信号Ｄ２を受けて、少なくとも前述の判定項目「１１」ないし「１３」に対応する文字列またはアイコンのいずれかを生成し、表示部５０に表示例６１、６２やそれを基礎とする検査結果画面６３、６４中にその文字列やアイコン等（組合せでもよい）を表示する表示制御を実行する。
【００４６】
本実施形態においては、このように、検査制御部３１から判定結果を受けた表示制御部３３は、表示例６１、６２や検査結表示画面６３、６４等における複数の判定項目についてそれぞれ対応するアイコンや文字列を表示するが、この表示部５０での表示や外部への表示画像の出力が、以下のような手順Ｓ１〜Ｓ３のいずれかで、任意の文字列やアイコン等に変更可能となる。なお、ここにいう外部とは、データ通信可能な他の各種の装置やデバイス、通信ネットワーク上の他のノードである。また、ここでの表示画像の出力は、判定項目識別情報を含む画像ファイルや文字列データの出力のみならず、従前の記録シートへのプリント出力を含むものである。
【００４７】
Ｓ１）通常、図６に示すような個々の物品Ｗの検査結果表示画面６３において、表示画面や判定項目のいずれかを指定する表示変更要求操作ボタン７１等が表示部５０でのタッチパネル操作により操作され、検査機３０に装備されているアイコンと文字列に対する表示変更要求入力がなされ、選択部３７により例えば表示変更要求入力に応じたアイコン１１ｓや文字列１１ｔ、１１ｕ、１１ｖのいずれかが選択される。
【００４８】
Ｓ２）また、表示変更要求入力が新規画像作成を要求するものであった場合、編集部３８により前述の新規画像作成ウィンドウ５２を用いる画像作成支援処理がなされ、ユーザの描画入力操作に応じたアイコン等の画像が作成され、あるいは、編集部３８のエディタ機能により表示変更要求入力に対応する文字列が作成される。
【００４９】
Ｓ３）さらに、外部からアイコンや文字列を読み込む場合、予めのデバイス接続やデータ通信入力等の形で、外部インターフェース３５を介して特定の表示画面に対応する表示画像、例えば図７に示す検査結果表示画面６４中の一部の判定項目表示用の画像の文字列１１ｔ、１２ｔ、１３ｔ、１４ｔ、１５ｕ等として、新規なアイコンや文字列（例えば図５中の「ＯＫ」、「＋ＮＧ」、「−ＮＧ」、「ＥＸＮＧ」、「２個乗り」）として取り込まれ、外部入力表示内容記憶部３６に記憶格納される。
【００５０】
このように、表示制御部３３では、検査制御部３１の検査結果に応じて表示部５０での表示内容を制御する一方、特定の表示内容、例えば検査結果表示画面に関し、その特定の判定結果の表示要素をユーザからの表示変更要求入力に応じて切替制御する。
【００５１】
すなわち、複数の判定項目（例えば、項目番号「１１」ないし「１５」等）のうち特定の判定項目についてユーザからの表示変更要求入力があると、特定の判定項目についての判定結果表示用の画像が、表示制御部３３の選択部３７および編集部３８により、その表示変更要求入力に応じて、表示記憶部３４および外部入力表示内容記憶部３６に予め記憶保持された判定結果表示用の他の画像に切り替えられる。したがって、検査機３０の検査結果表示画面６３、６４中の判定項目名等の表示形態を、ユーザの要求に応じて理解し易く、異常発生を見逃し難い表示形態に容易にかつ的確に変更できることになる。
【００５２】
また、本実施形態では、表示変更要求入力に対応して、選択部３７により、複数種の表示候補画像のうち任意のいずれかの画像が判定結果表示用の別の画像として選択される。したがって、特定の判定項目についての判定結果表示用の画像が、表示変更要求入力に対応する別の画像に的確にかつ迅速容易に切替え可能となる。
【００５３】
さらに、本実施形態では、編集部３８により、表示変更要求入力に応じた新規な表示候補画像が作成可能となり、特定の判定項目についてユーザに好適な表示候補画像を追加したり、複数の表示候補画像に加えたりすることができることになる。
【００５４】
加えて、本実施形態では、前段の機器１０からの充填包装動作の異常といった外部ＮＧ信号Ｄ１が検査機３０に取り込まれ、表示部５０に表示される複数の判定項目のうち特定の判定項目（例えば図５中の番号「１１」ないし「１５」のうち「１４」）が、前段の機器１０（他の装置）からの判定結果入力に対応する表示項目「ＥＸＮＧ」を含んでいる。したがって、検査機３０において、先行する外部の検査結果を考慮した総合判定等を行う場合に、前段の機器１０のような他の装置が新規な場合であっても、あるいはそれが変更される場合でも、容易に他の装置からの判定結果に対応する特定の判定項目の表示を表示変更要求入力に応じてカスタマイズできることとなる。
【００５５】
また、識別情報が検査結果以外の製造ライン固有の不良判定項目の識別表示となる場合（例えば図３参照）、複数の不良判定項目のうち表示が必要な判定項目に切り替える等することで、その判定項目の数を把握容易な出力形態で出力でき、識別情報が検査機３０等の装置自身の検査結果を含む判定内容（ＯＫ、ＮＧ等）を判定項目ごとに計数する項目を識別表示する場合（例えば図４参照）、不良に関する判定項目の数（ＮＧ数）をユーザが把握し易くなる。
【００５６】
以上の通り、本実施形態によれば、表示例６１、６２や検査結果表示画面６３、６４中の判定項目名等の表示形態をユーザの要求に応じて変更することができる物品検査装置を提供することができる。
【００５７】
なお、上述の一実施形態では、物品検査装置を質量検査に用いる質量検査システム１に用いるものとしたが、本発明は、検査結果の表示に複数の判定項目表示を含むものであれば、質量検査するものに限らず、金属検出装置やＸ線異物検出装置、欠品検査装置その他の物品検査装置にも適用可能である。
【００５８】
また、上述の一実施形態では、選択部３７における複数の表示候補画像のうち選択したいずれかについて新規画像作成処理を実行するようにしていたが、選択部３７における複数の表示候補画像を表示することなく、使用中の判定項目のうち表示画面上で選択した一項目について使用中の文字列やアイコンの画像を、編集部３８で別の表示サイズや書体、言語もしくは図形に変更するようにすることも考えられる。
【００５９】
以上説明したように、本発明は、検査結果を表示する判定項目の識別情報の表示形態をユーザの要求に応じて変更可能な物品検査装置を提供できるものであり、かかる本発明は、計量や異物検出等の検査を行う場合に好適な物品検査装置全般に有用である。
【符号の説明】
【００６０】
１  質量検査システム
１０  前段の機器
１１ｔ、１１ｕ、１１ｖ、１１ｓ、１２ｔ、１３ｔ、１４ｔ、１５ｕ  複数の表示候補画像
１１ｎ、１１ｍ、１４ｎ、１４ｍ、１５ｎ、１５ｍ  新規作成画像欄
２０  助走コンベア
３０  検査機（物品検査装置）
３１  検査制御部
３２  計量コンベア本体部
３３  表示制御部（識別情報出力手段）
３４  表示記憶部
３５  外部インターフェース
３６  外部入力表示内容記憶部
３７  選択部
３８  編集部
４０  選別搬送コンベア
５０  表示部（識別情報出力手段）
５２  新規画像作成ウィンドウ
５２ａ、５２ｂ  描画ツール
５２ｃ  テキスト入力ツール
５２ｉ  画像
６１、６２  表示例（生産中の物品の検査結果の表示）
６３、６４  検査結果表示画面
７１  表示変更要求操作ボタン
Ｄ１  ＮＧ信号（外部ＮＧ信号）
Ｄ２  内部判定結果信号
Ｊｎ  判定結果信号
Ｒｊ  選別信号
Ｗ  物品（検査対象物品）
【図１】
2019111473.tif 000003
【図２】
2019111473.tif 000004
【図３】
2019111473.tif 000005
【図４】
2019111473.tif 000006
【図５】
2019111473.tif 000007
【図６】
2019111473.tif 000008
【図７】
2019111473.tif 000009